(57)【要約】      （修正有）【課題】求職者にとって、修得した科目、成績、資格や職歴等のキャリアに関する本人情報を、ＵＳＢを介してコンピュータ上の所定システムから書き込んだり書き換えられ、不足しているキャリア等を確認でき、且つＵＳＢ接続が容易で、嵩ばらずに安全に携行できるＵＳＢ接続型ＩＤカードを提供する。【解決手段】薄いカード状の筐体の内部に収納自在なＵＳＢコネクタ２０を介して、コンピュータ８の間で本人情報ｓに関するデータのやり取りが自在な身分証明用ＩＤカードＡであり、ＵＳＢコネクタ２０は、筐体内のフラッシュメモリとコントロールＩＣが実装されたプリント回路基板に接続され、ＵＳＢコネクタ２０が筐体の外周から突出又は外周に収納自在に構成されている。【選択図】図１
0003129622.tif 000002
【実用新案登録請求の範囲】
【請求項１】
薄いカード状の筐体の内部に収納自在なＵＳＢコネクタを介して、コンピュータとの間で本人情報に関するデータのやり取りが自在な身分証明用ＩＤカードであって、前記ＵＳＢコネクタは、筐体内のフラッシュメモリとコントロールＩＣが実装されたプリント回路基板に接続され、当該ＵＳＢコネクタが前記筐体の外周から突出又は外周に収納自在に構成されていることを特徴とする、ＵＳＢ接続型ＩＤカード。
【請求項２】
ＵＳＢコネクタと同ＵＳＢコネクタに接続されたベース板部とより成るＵＳＢスライド体を収納可能で、一端部に開口を有する筒状の薄型収納体が、筐体の上部内に設けられ、筐体の一側面に形成される嵌挿口の近傍に前記薄型収納体の端部開口が配置され、且つ薄型収納体の直上に位置する筐体の表面の一部分が窓孔に形成されており、前記窓孔に現出されたＵＳＢスライド体のベース板部の押し出し又は引き戻しにより、ＵＳＢコネクタが薄型収納体内でスライド移動して嵌挿口から突出又は嵌挿口へ収納自在に構成されていることを特徴とする、請求項１に記載したＵＳＢ接続型ＩＤカード。
【請求項３】
ＵＳＢコネクタと同ＵＳＢコネクタに接続されたベース板部とより成るＵＳＢスライド体を収納可能で、表面に細長い開口と一側面に嵌挿口を有するあり溝状の溝部が、筐体の上部に形成され、当該溝部の中にＵＳＢスライド体が嵌挿されており、前記表面開口に現出されたＵＳＢスライド体のベース板部の押し出し又は引き戻しにより、ＵＳＢコネクタが溝部内でスライド移動して筐体の嵌挿口から突出又は嵌挿口に収納自在に構成されていることを特徴とする、請求項１に記載したＵＳＢ接続型ＩＤカード。
【請求項４】
ＵＳＢコネクタと同ＵＳＢコネクタに接続されたベース板部とより成るＵＳＢ回転体が、筐体の上部でピン連結されていると共に、筐体の上部が一部切欠された切欠部に形成されており、前記ＵＳＢ回転体のベース板部の回転により、ＵＳＢコネクタが筐体の上方で回転して筐体の切欠部から突出又は切欠部に収納自在に構成されていることを特徴とする、請求項１に記載したＵＳＢ接続型ＩＤカード。
【請求項５】
ＩＤカードの筐体の内部にＲＦＩＤが取り付けられており、特定の部屋等への入退室時に本人確認自在に構成されていることを特徴とする、請求項１〜４のいずれか１項に記載したＵＳＢ接続型ＩＤカード。
【請求項６】
ａ）  身分証明用のＵＳＢ接続型ＩＤカードは、薄いカード状の筐体の内部に収納自在なＵＳＢコネクタが、筐体内のフラッシュメモリとコントロールＩＣが実装されたプリント回路基板に接続され、当該ＵＳＢコネクタが前記筐体の外周から突出又は外周に収納自在であること、
ｂ）  前記ＩＤカードの筐体の外周から突出されたＵＳＢコネクタが、コンピュータのＵＳＢ接続ポートに挿し込まれ、コンピュータ上に起動した所望のシステムから学習履歴等の所望の本人情報が当該ＩＤカードのフラッシュメモリに記録自在であること、
ｃ）  前記本人情報が記録されたＩＤカードのＵＳＢコネクタが、異なるコンピュータのＵＳＢ接続ポートに挿し込まれ、当該本人情報が閲覧可能であること、
を特徴とするＵＳＢ接続型ＩＤカードシステム。
【請求項７】
ＩＤカードのＵＳＢコネクタがコンピュータのＵＳＢ接続ポートに挿し込まれ、暗証番号の入力や生体認識システム等の本人確認手段により本人確認された後、前記コンピュータ上で当該ＩＤカードに記録された本人情報が閲覧可能に構成されていることを特徴とする、請求項６に記載したＵＳＢ接続型ＩＤカードシステム。
【考案の詳細な説明】
【技術分野】
【０００１】
本考案は、履歴書や学生証、社員証、会員証、診察券といった本人確認を行う必要がある場面で、本人情報を記録したり最新のデータに書き換えて使用する各種身分証明用のカード（以下、ＩＤカードともいう）に関し、例えば求職者にとっては、学習履歴、職歴、取得資格等のキャリアに関する本人情報を、ＵＳＢを介してパソコン上の所定システムから書き込んだり新たなデータに書き換えられ、企業の採用担当者にとっては、前記ＩＤカードに書き込まれている本人情報を、ＵＳＢを介してパソコン上で見て人物評価を行うＵＳＢ接続型のＩＤカード及びシステムの技術分野に関する。
【背景技術】
【０００２】
就職するに際しては、本人が手書きで紙製の履歴書を作成し、その履歴書を採用担当者が見て、就職希望者の採用の可否を判断しているのが一般である。
【０００３】
例えば、実用新案登録第３０４５７５２５号公報には、少なくとも応募の動機、応募の目的の欄を有するものであって、各欄には複数の選択事項が印刷してあり、この各選択事項に選択マークが加入できるようになっている履歴書が開示されている。
【０００４】
また、学生証や社員証、会員証、診察券といった本人を確認する身分証明用としては、本人の名前や所属部署等を記載したカードが広く使用されている。その中には、この種のカードとして用紙ではなく、ＩＣカードを使う場合もある。
【特許文献１】実用新案登録第３０４５７５２５号公報
【考案の開示】
【考案が解決しようとする課題】
【０００５】
履歴書は、企業の採用担当者にとっては、面識のない人物を評価する判断材料として必要不可欠なものである。そのため、履歴書の記載内容は正確である必要があるが、就職希望者が自分で書いたものであるため、記載内容が過大であったり不実記載もあり、実務に入るまで本人の評価がはっきりとは分らないのが実情である。そのため、別途行う適性検査で判断せざるを得ず、企業側の負担増となっている。
【０００６】
一方、就職希望者としても、履歴書という用紙に最大限の自己ＰＲをしなくてはならないというプレッシャーの下で書く上、用紙の枚数や記載内容が多すぎたり少なすぎたりしても印象が悪くなり、就職希望者側の負担増にもなっている。
【０００７】
この点、前記従来例の実用新案登録第３０４５７５２５号公報記載の履歴書は、応募の動機、応募の目的の欄を有し、各欄には複数の選択事項が印刷してあり、この各選択事項に選択マークが加入できるようになっているため、簡単に履歴書を完成でき、内容も比較的正確で、応募者、募集側の双方にとって便利ではある。しかし、予め設定された所定事項の選択以外に自己のキャリア等を適切かつ確実にＰＲすることは容易ではなく、就職希望者にとっての万全な履歴書には程遠い。
【０００８】
また、学生証や社員証、会員証、診察券といった身分証明用の従来の紙のカードや、本人情報を一度記録したら書き換えが不可能で記録情報量も少ないＩＣカードは、身分証明用のカードとして必要最小限の機能しか発揮しておらず、カード発行後の本人情報の書き換えや多くのデータ記憶が可能で携行できる身分証明カードはない。
【０００９】
ここで、コンピュータの外部記憶装置として、例えば「Ｍｅｍｏｒｙ  Ｓｔｉｃｋ」（メモリースティック）（登録商標）等のＵＳＢ（ユニバーサル・シリアル・バス，Universal Serial Bus）フラッシュメモリ装置が近年普及しているが、このＵＳＢ接続タイプのフラッシュメモリを前記履歴書や身分証明のＩＤカードとして利用できないかが解決すべき課題とされている。
【００１０】
したがって、本考案が解決しようとする課題は、まず第一に、求職者にとっては、学習履歴として自分が修得した授業科目、試験成績、取得資格や職歴等のキャリアに関する本人情報を、ＵＳＢを介してコンピュータ上の所定のシステムから書き込んだり最新データに書き換えることができる上、自分が不足しているキャリア等を確認することができ、しかも、前記ＵＳＢ接続が容易で、不使用時には安全かつ嵩ばらずに携行できて便利なＵＳＢ接続型ＩＤカードを提供することにある。
【００１１】
そして、そのことは企業の採用担当者にとって、前記信用ある本人情報を、履歴書に代わる前記ＩＤカードによりＵＳＢを介してパソコン上で見ることができ、例えば希望するキャリアを充当しているか否かも容易に確認でき、公平で正確な人物評価を迅速に行うことができ、人材のミスマッチを防げるＩＤカードシステムを提供することを目的とする。
【００１２】
次に、そのようなＩＤカードを学生証や会員証といった各種の身分証明カードとして利用し、ＵＳＢを介してコンピュータ上で本人確認と本人情報を即座に確認・判断でき、各種場面でのニーズに対応するＩＤカードシステムを提供することにある。
【課題を解決するための手段】
【００１３】
上記課題を解決するための手段として、請求項１記載の考案のＵＳＢ接続型ＩＤカードＡ、Ｂ、Ｃは、薄いカード状の筐体１の内部に収納自在なＵＳＢコネクタ２０を介して、コンピュータ８の間で本人情報ｓに関するデータのやり取りが自在な身分証明用ＩＤカードであって、前記ＵＳＢコネクタ２０は、筐体１内のフラッシュメモリ２１とコントロールＩＣ２２が実装されたプリント回路基板２３に接続され、当該ＵＳＢコネクタ２０が前記筐体１の外周から突出又は外周に収納自在に構成されていることを特徴とする。
【００１４】
請求項２記載の考案のＵＳＢ接続型ＩＤカードＡは、前記ＵＳＢコネクタ２０と同ＵＳＢコネクタ２０に接続されたベース板部２５とより成るＵＳＢスライド体２を収納可能で、一端部に開口２９を有する筒状の薄型収納体２８が、筐体１の上部１２内に設けられ、筐体１の一側面１３に形成される嵌挿口１５の近傍に前記薄型収納体２８の端部開口２９が配置され、且つ薄型収納体２８の直上に位置する筐体１の表面１０の一部分が窓孔５に形成されており、前記窓孔５に現出されたＵＳＢスライド体２のベース板部２５の押し出し又は引き戻しにより、ＵＳＢコネクタ２０が薄型収納体２６内でスライド移動して嵌挿口１５から突出又は嵌挿口１５へ収納自在に構成されていることを特徴とする。
【００１５】
請求項３記載の考案のＵＳＢ接続型ＩＤカードＢは、前記ＵＳＢコネクタ２０と同ＵＳＢコネクタ２０に接続されたベース板部２５とより成るＵＳＢスライド体２を収納可能で、表面１０に細長い開口６０と一側面１３に嵌挿口１６を有するあり溝状の溝部６が、筐体１の上部１２に形成され、当該溝部６の中にＵＳＢスライド体２が嵌挿されており、前記表面開口６０に現出されたＵＳＢスライド体２のベース板部２５の押し出し又は引き戻しにより、ＵＳＢコネクタ２０が溝部６内でスライド移動して筐体１の嵌挿口１６から突出又は嵌挿口１６に収納自在に構成されていることを特徴とする。
【００１６】
請求項４記載の考案のＵＳＢ接続型ＩＤカードＣは、前記ＵＳＢコネクタ２０と同ＵＳＢコネクタ２０に接続されたベース板部２５とより成るＵＳＢ回転体３が、筐体１の上部１２でピン連結されていると共に、筐体１の上部１２が一部切欠された切欠部７に形成されており、前記ＵＳＢ回転体３のベース板部２５の回転により、ＵＳＢコネクタ２０が筐体１の上方で回転して筐体１の切欠部７から突出又は切欠部７に収納自在に構成されていることを特徴とする。
【００１７】
請求項５記載の考案のＵＳＢ接続型ＩＤカードは、前記ＩＤカードＡ、Ｂ、Ｃの筐体１の内部にＲＦＩＤ４が取り付けられており、特定の部屋等への入退室時に本人確認自在に構成されていることを特徴とする。
【００１８】
請求項６記載の考案のＵＳＢ接続型ＩＤカードシステムは、
ａ）  身分証明用のＵＳＢ接続型ＩＤカードＡ、Ｂ、Ｃは、薄いカード状の筐体１の内部に収納自在なＵＳＢコネクタ２０が、筐体１内のフラッシュメモリ２１とコントロールＩＣ２２が実装されたプリント回路基板２３に接続され、当該ＵＳＢコネクタ２０が前記筐体１の外周から突出又は外周に収納自在であること、
ｂ）  前記ＩＤカードＡ、Ｂ、Ｃの筐体１の外周から突出されたＵＳＢコネクタ２０が、コンピュータ８のＵＳＢ接続ポート８０に挿し込まれ、コンピュータ８上に起動した所望のシステムから学習履歴等の所望の本人情報ｓが当該ＩＤカードＡ、Ｂ、Ｃのフラッシュメモリ２１に記録自在であること、
ｃ）  前記本人情報ｓが記録されたＩＤカードＡ、Ｂ、ＣのＵＳＢコネクタ２０が、異なるコンピュータ８のＵＳＢ接続ポート８０に挿し込まれ、当該本人情報ｓが閲覧可能であることを特徴とする。
【００１９】
請求項７記載の考案のＵＳＢ接続型ＩＤカードシステムは、前記ＩＤカードＡ、Ｂ、ＣのＵＳＢコネクタ２０がコンピュータ８のＵＳＢ接続ポート８０に挿し込まれ、暗証番号の入力や生体認識システム等の本人確認手段により本人確認された後、前記コンピュータ８上で当該ＩＤカードＡ、Ｂ、Ｃに記録された本人情報ｓが閲覧可能に構成されていることを特徴とする。
【考案の効果】
【００２０】
請求項１〜４記載の本考案のＵＳＢ接続型ＩＤカードは、薄いカード状の筐体の内部に収納自在なＵＳＢコネクタを介して、コンピュータとの間で本人情報に関するデータのやり取りが自在な身分証明用ＩＤカードであって、前記ＵＳＢコネクタは、筐体内のフラッシュメモリとコントロールＩＣが実装されたプリント回路基板に接続され、当該ＵＳＢコネクタが前記筐体の外周から突出又は外周に収納自在であるので、ＵＳＢ接続に際しては、通常、筐体内に収納されているＵＳＢスライド体又はＵＳＢ回転体を手指で動かすだけで、同ＵＳＢスライド体等の先端のＵＳＢコネクタが突出され、コンピュータのＵＳＢ接続ポートに簡単かつ確実に接続でき、履歴書や学生証、社員証、会員証、診察券といった本人確認を行う必要がある場面で、コンピュータを利用して、本人情報を記録したり最新のデータに書き換えて使用することができる。
【００２１】
一方、ＵＳＢ接続が終了したら、当該ＩＤカード（ＵＳＢコネクタ）をコンピュータのＵＳＢ接続ポートから引き抜き、ＵＳＢスライド体又はＵＳＢ回転体を手指で逆に動かすだけで、同ＵＳＢスライド体やＵＳＢ回転体の先端のＵＳＢコネクタが薄いカード状の筐体の内部に収納されるので、ＵＳＢコネクタ及びインターフェースピンを傷付けないで安全に取り扱える。その上、この薄いカード状のＩＤカードは嵩ばらずに携行できて便利である。
【００２２】
請求項５記載の本考案のＵＳＢ接続型ＩＤカードは、筐体の内部にＲＦＩＤが取り付けられているので、特定の部屋等への入退室時に本人確認を簡便かつ確実に行える副次的効果をも有する。この入退出管理により、講座の受講状況を把握したり、企業の社員証として利用することもでき、ＩＤカードの偽造防止にも貢献する。
【００２３】
請求項６記載の本考案のＵＳＢ接続型ＩＤカードシステムは、ＩＤカードの筐体の外周から突出されたＵＳＢコネクタが、コンピュータのＵＳＢ接続ポートに挿し込まれ、主としてインターネットを介しコンピュータ上に起動した所望のシステムから学習履歴等の所望の本人情報が当該ＩＤカードのフラッシュメモリに記録自在であるので、例えば求職者は、学習履歴として自分が修得した授業科目、試験成績、取得資格や職歴等のキャリアに関する本人情報を、前記起動させたシステムから当該ＩＤカードに書き込んだり最新データに書き換えて最新の履歴書として使用でき、更には自分が不足しているキャリア等を、いつでも何処でも確認することができる利便性に優れている。
【００２４】
また、企業の採用担当者にとっては、前記信用ある本人情報が含まれた履歴書と同等の当該ＩＤカードをＵＳＢを介してパソコン上で表示し、希望するキャリアを充当しているか否か等を容易に確認できる。よって、公平で正確な人物評価を迅速に行え、人材のミスマッチの事前防止に大きく貢献する。
【００２５】
さらに、本ＩＤカードシステムによれば、前記ＩＤカードを学生証や会員証といった各種の身分証明カードとして用い、ＵＳＢを介してコンピュータ上で本人確認と本人情報を即座に確認・判断できるため、身分確認が必要な各種シーンにも対応する利便性を兼ね備えている。
【００２６】
請求項７記載の本考案のＵＳＢ接続型ＩＤカードシステムは、ＩＤカードのＵＳＢコネクタがコンピュータのＵＳＢ接続ポートに挿し込まれ、暗証番号の入力や生体認識システム等の本人確認手段により本人確認された後、前記コンピュータ上で当該ＩＤカードに記録された本人情報が閲覧可能に構成されているので、セキュリティーチェックに万全が期されている。
【考案を実施するための最良の形態】
【００２７】
請求項１〜７に係るＵＳＢ接続型ＩＤカード及び同ＩＤカードシステムの好適な実施形態を、以下図面にしたがって説明する。本実施形態のＵＳＢ接続型ＩＤカードは、窓孔タイプ（図中、符号Ａで図示）、溝部タイプ（符号Ｂで図示）、回転タイプ（符号Ｃで図示）の３つに大別される。
【００２８】
図１は、本ＵＳＢ接続型ＩＤカードシステムの全体構成を示し、図２〜図５は前記窓孔タイプのＵＳＢ接続型ＩＤカードＡ、図６〜図９は溝部タイプのＵＳＢ接続型ＩＤカードＢ、図１０〜図１４は回転タイプＣのＵＳＢ接続型ＩＤカードを示している。当該ＵＳＢ接続型ＩＤカードＡ、Ｂ、Ｃは、名刺サイズで薄いカード状の筐体１の内部に収納自在なＵＳＢコネクタ２０を使用し、主としてインターネット等のネットワーク９２を介してコンピュータ（通常、パソコン）８との間で本人情報ｓに関するデータのやり取りを行う身分証明用（ＩＤ）カードである。
【００２９】
図２〜図５に示した窓孔タイプのＵＳＢ接続型ＩＤカードＡについて説明する。
【００３０】
このＩＤカードＡに組み込まれたＵＳＢコネクタ２０は、厚さが約２．５ｍｍの薄型に形成され、インターフェースピン（回路接点）２６を備えており、コンピュータ８のＵＳＢ接続ポート８０に挿し込まれて接続自在に構成されている。インターフェースピン２６は、当該ＵＳＢコネクタ２０の表裏両面又はいずれか片面に備え付けられている。
【００３１】
また、当該ＵＳＢコネクタ２０は、図２に示したように、フラッシュメモリ２１とコントロールＩＣ２２（詳細は省略）が実装されたプリント回路基板２３、及びそれらを保護する長さ約８５ｍｍで薄い細長形状のベース板部２５に接続されている。このＵＳＢコネクタ２０が前記筐体１の一側面１３から突出又は収納自在となっている。なお、前記一側面１３は、図示例の如く左方の一側面に限定される訳ではなく、右方の一側面でも好適に実施可能である。
【００３２】
筐体１は、たて×よこ×厚さが、５４ｍｍ×８５ｍｍ×３ｍｍで、従来の学生証のようにカード入れや胸ポケットに楽に収納できる薄い長方形状のアルミニウム製で形成されている。当該薄型の筐体１の上部１２内に、左端部に開口２９を有する筒状の薄型収納体２８が設けられている（図３、図４参照）。この薄型収納体２８は、前記ＵＳＢコネクタ２０と同ＵＳＢコネクタ２０に接続されたベース板部２５とより成るＵＳＢスライド体２がスライド移動して収納するに必要かつ十分な大きさに形成されている。そして、筐体１の左方側面１３に形成された嵌挿口１５の近傍に前記薄型収納体２８の端部開口２９が配置されている。また、薄型収納体２８の直上に位置する筐体１の表面１０の一部分が横長の窓孔５（たて×よこ＝１０ｍｍ×３０ｍｍ）に形成されている。
【００３３】
したがって、前記窓孔５に現出されたＵＳＢスライド体２のベース板部２５を左方に押し出してやると、ＵＳＢコネクタ２０が薄型収納体２６内で左方にスライド移動して嵌挿口１５から突出して使用可能状態となる（図２）。使用が終了し、持ち歩く際には、窓孔５に臨むＵＳＢスライド体２のベース板部２５を右方へ引き戻し、嵌挿口１５へ収納しＵＳＢスライド体２を筐体１内に完全に収納させる（図５）。その収納状態で、ＵＳＢコネクタ２０が窓孔５に現れることなく、筐体１の左方コーナー部１４に隠れて保護されるように、前記窓孔５の位置を設定して実施する形態が好ましい。
【００３４】
なお、前記窓孔５に現出されたＵＳＢスライド体２のベース板部２５に、突起状のストッパー２４を設けた形態で実施することにより、このストッパー２４に手指を係止させて滑らずにＵＳＢスライド体２を左右に移動させ、ＵＳＢコネクタ２０の突出と収納をスムーズに行うことができる。
【００３５】
また、このＵＳＢ接続型ＩＤカードＡの筐体１の内部には、図２に示したようなＲＦＩＤ(Radio frequency identification)４が取り付けられており、図２０に示したような特定の部屋４１の入口にリーダ４０を設置し、同リーダ４０に当該ＩＤカードＡを読み取らせ、前記部屋４１内への入室時に本人確認自在に構成されている。リーダ４０でＩＤカードＡの本人情報ｓがコンピュータ８で読み取られることにより、受講出欠管理等を自動的に行うことができる。
【００３６】
さらに、前記した窓孔タイプのＵＳＢ接続型ＩＤカードＡの筐体１の表面１０には、本人の写真ｐを設けた形態で好適に実施される（以下の溝部タイプ及び回転タイプのＩＤカードＢ、Ｃにおいて同じ）。
【００３７】
次に、図６〜図９に示した溝部タイプのＵＳＢ接続型ＩＤカードＢについて説明する。当該溝部タイプのＵＳＢ接続型ＩＤカードＢの基本構造は、上述した窓孔タイプのＵＳＢ接続型ＩＤカードＡと同じであり、重複部分の説明は省略する。
【００３８】
このＩＤカードＢにおいて異なる点は、ＩＤカードＡの薄型収納体２８と窓孔５が、細長い溝部６と開口６０で構成されている点である。すなわち、筐体１の表面１０の上部１２に、筐体１の巾寸より僅かに短く横に細長い開口６０（たて×よこ＝１０ｍｍ×８４ｍｍ）と、左方側面１３に嵌挿口１６を有し、横断面形状が前記開口６０の部分で若干狭小のあり溝状の溝部６（図８参照）が形成され、当該溝部６の中にＵＳＢスライド体２が開口６０から抜け落ちることなく嵌挿されている。よって、前記筐体１の表面１０の開口６０に現出されたＵＳＢスライド体２のベース板部２５の押し出し又は引き戻しにより、ＵＳＢコネクタ２０が溝部６内で左右にスライド移動して筐体１の嵌挿口１６から突出又は嵌挿口１６に収納自在となっている。
【００３９】
このＩＤカードＢの開口６０は、同ＩＤカードＢの上部１２で細長く形成されているため、ＵＳＢスライド体２のベース板部２５を手指で係止できる範囲が広く、上記ＩＤカードＡの窓孔５と比べ、ＵＳＢコネクタ２０の左右方向のスライド移動を楽に行える。
【００４０】
つづいて、図１０〜図１４に示した回転タイプのＵＳＢ接続型ＩＤカードＣについて説明する。当該回転タイプのＵＳＢ接続型ＩＤカードＣの基本構造も、上述した窓孔タイプのＵＳＢ接続型ＩＤカードＡと同じであり、重複部分の説明は省略する。
【００４１】
このＩＤカードＣの特徴は、ＵＳＢコネクタ２０及びベース板部２５が、上記窓孔タイプのＩＤカードＡや溝部タイプのＩＤカードＢのように、薄型収納体２８や溝部６内でスライド移動するのではなく、筐体１の上方で回転することにより筐体１の切欠部７から突出したり、切欠部７に収納されることである。
【００４２】
すなわち、本実施形態のＵＳＢ接続型ＩＤカードＣは、ＵＳＢコネクタ２０と同ＵＳＢコネクタ２０に接続されたベース板部２５（たて×よこ＝１２ｍｍ×４８ｍｍ）とより成るＵＳＢ回転体３が、筐体１の上部１２でピン３０により回動自在に連結されている。加えて、筐体１の表面１０の上部１２の左方コーナー部１４が、たて１４ｍｍ、よこ３０ｍｍに切欠された切欠部７に形成されている。よって、図１２に例示したように、前記ＵＳＢ回転体３のベース板部２５の回転により、ＵＳＢコネクタ２０が筐体１の上方において、約１５０度の範囲内で回転して、筐体１の上方に形成された切欠部７から突出又は切欠部７に収納自在に構成されている。
【００４３】
したがって、この回転タイプのＩＤカードＣによれば、コンピュータ８の空いているＵＳＢ接続ポート８０の位置等、ＵＳＢコネクタ２０を接続できる場所に制約がある場合に、当該ＩＤカードＣのＵＳＢコネクタ２０及びベース板部２５を所望の角度に回転させて、向きを変えつつＵＳＢ接続できて好都合である。しかし、通常このＩＤカードＣは、図１０に示したように、ＵＳＢコネクタ２０及びベース板部２５が筐体１に対し直角に配置された状態（図中、上向き）で使用される。
【００４４】
また、この回転タイプのＩＤカードＣにおいては、図１０に示したようにインターフェースピン２６をＵＳＢコネクタ２０の裏面にのみ設けることにより（同図１０Ｂ参照）、不使用時にＵＳＢ回転体３（ベース板部２５）を回転させ切欠部７に収納させた際に、インターフェースピン２６が筐体１のコーナー部１４内に隠れて不意に傷付けられる虞れがなくてよい（図１３参照）。
【００４５】
なお、当該回転タイプのＩＤカードＣにおいては、図１０Ａに示したように、コントロールＩＣ２２を筐体１内部に設ける形態で実施してもよい。
【００４６】
さらに、上記回転タイプのＩＤカードＣの異なるバリエーションを図１４に示した。この図１４のＩＤカードＣでは、筐体１の左方上部１２のコーナー部１４から約１２ｍｍ右方の内側部位の表面１０及び裏面１１が、たて１２ｍｍ、よこ１２ｍｍに切欠された切欠部７’に形成されている。そのため、前記ＵＳＢ回転体３を筐体１内に収納すると、ＵＳＢコネクタ２０のインターフェースピン２６（全長約１０ｍｍ）が、筐体１の前記コーナー部１４に隠れて保護される。一方、ベース板部２５は、筐体１を貫通する形の切欠部７’に収まるので、ＵＳＢ接続するときは、当該ベース板部２５を手指でつまむ形で上方に楽に回転移動させて使用することができるのである。
【００４７】
次に、前記身分証明用のＩＤカードＡ、Ｂ、Ｃを利用したＵＳＢ接続型ＩＤカードシステムについて説明する。図１は当該ＩＤカードシステムの概略図を示している。
【００４８】
前記ＩＤカードＡ（ＩＤカードＢ、Ｃについても同様、以下省略）の筐体１の外周から突出されたＵＳＢコネクタ２０が、図１に示したコンピュータ８の空いているＵＳＢ接続ポート８０に挿し込まれる。そうすると、コンピュータ８上に起動した所望のシステム（後述）から、データベース９０に格納されている学習履歴等の所望の本人情報ｓ（図１５参照）がサーバ９を通じインターネット等のネットワーク９２を介して当該ＩＤカードＡのフラッシュメモリ２１に記録自在となっているものである。
【００４９】
また、前記本人情報ｓが記録されたＩＤカードＡ（ＵＳＢコネクタ２０）は、インターネット９２を介して異なるコンピュータ８・・・のＵＳＢ接続ポート８０に挿し込んで接続でき、当該本人情報ｓをいつでも何処でも閲覧可能になっている。
【００５０】
なお、上記ＵＳＢ接続型ＩＤカードシステムは、前記ＩＤカードＡのＵＳＢコネクタ２０がコンピュータ８のＵＳＢ接続ポート８０に挿し込まれ、暗証番号の入力や生体認識システム等の本人確認手段（図示は省略）により本人確認された後、前記コンピュータ８上で当該ＩＤカードＡに記録された本人情報ｓが閲覧可能に構成されている。
【００５１】
上記ＵＳＢ接続型ＩＤカードシステムに好適な実施形態として、学生や求職者が“産業人材育成支援システム”を利用して各種本人情報ｓから学習履歴を閲覧する場合を図１５〜図１９に示した。以下説明する。
【００５２】
図１５は産業人材育成支援システムの概要、図１６は産業人材育成支援システムの接続要領を示している。なお、図１５中、右側の図示例は企業の担当者がＩＤカードＡを利用する場合を示しているが、学生や求職者と同様の手順で利用できるため説明は省略する。
【００５３】
まず前記図１のように、ＩＤカードＡのＵＳＢコネクタ２０を、コンピュータ８のＵＳＢ接続ポート８０に挿し込んで接続する。ＷＷＷブラウザを起動してインターネット９２に接続し、産業人材育成支援システムのホームページにアクセスし、同育成支援システムのログイン画面で、ＩＤカードＡに予め登録されているＩＤを取得する。すると、図１７に示したようなメインメニュー画面が表示される。
【００５４】
図１７における符号１は「スキルマトリックス」と称する項目で、ここをクリックして選択すると、目指す職種に応じたスキルから講座情報を取得することができる。符号２は「講座情報照会」の項目で、ここを選択すると、職種／スキル／講座期間等あらゆる角度から講座情報を取得できる。符号３は「個人履修情報」の項目で、ここをクリックすると、現在の自分のスキルがどのレベルか確認することができる。また、目指す職種に応じた研修ロードマップや、受講した講座の内容・成果等を照会できる（図１９参照）。本人の個人情報ｓは、図１８に示した如くディスプレイ表示される。同図１８中符号１は、基礎情報を示しており、本人の氏名、性別、住所等が表示される。符号２は、職種情報として、部署、役職、職種等が表示される。また、符号３は学歴を表示し、符号４は職歴を表示してる。
【００５５】
かくして、前記閲覧した本人情報ｓは、ＩＤカードＡのフラッシュメモリ２１に記録することができ、随時データ更新を行える。必要に応じこのＩＤカードＡを履歴書等として使用することができるのである。
【図面の簡単な説明】
【００５６】
【図１】ＵＳＢ接続型ＩＤカード及びシステムの概略図である。
【００５７】
【図２】窓孔タイプのＵＳＢ接続型ＩＤカードの使用状態を示した一部切欠正面図である。
【００５８】
【図３】窓孔タイプのＵＳＢ接続型ＩＤカードを示した左側面図である。
【００５９】
【図４】窓孔タイプのＵＳＢ接続型ＩＤカードを示した拡大部分断面図である。
【００６０】
【図５】窓孔タイプのＵＳＢ接続型ＩＤカードを示した正面図である。
【００６１】
【図６】溝部タイプのＵＳＢ接続型ＩＤカードの使用状態を示した正面図である。
【００６２】
【図７】溝部タイプのＵＳＢ接続型ＩＤカードを示した左側面図である。
【００６３】
【図８】溝部タイプのＵＳＢ接続型ＩＤカードを示した拡大部分断面図である。
【００６４】
【図９】溝部タイプのＵＳＢ接続型ＩＤカードを示した正面図である。
【００６５】
【図１０】Ａ、Ｂは、回転タイプのＵＳＢ接続型ＩＤカードの使用状態を示した一部切欠正面図と裏面図である。
【００６６】
【図１１】回転タイプのＵＳＢ接続型ＩＤカードを示した左側面図である。
【００６７】
【図１２】Ａ、Ｂは、回転タイプのＵＳＢ接続型ＩＤカードのＵＳＢ回転体の回転要領を示した正面図と裏面図である。
【００６８】
【図１３】回転タイプのＵＳＢ接続型ＩＤカードを示した正面図である。
【００６９】
【図１４】異なる回転タイプのＵＳＢ接続型ＩＤカードを示した正面図である。
【００７０】
【図１５】ＵＳＢ接続型ＩＤカードシステムのデータベースを中心に示した説明図である。
【００７１】
【図１６】ＵＳＢ接続型ＩＤカードシステムを利用した産業人材育成支援システムの起動要領を示した説明図である。
【００７２】
【図１７】ＵＳＢ接続型ＩＤカードシステムを利用した産業人材育成支援システムのメインメニュー画面を示した説明図である。
【００７３】
【図１８】ＵＳＢ接続型ＩＤカードシステムを利用した産業人材育成支援システムの本人情報が表示された画面を示した説明図である。
【００７４】
【図１９】ＵＳＢ接続型ＩＤカードシステムを利用した産業人材育成支援システムの異なる本人情報が表示された画面を示した説明図である。
【００７５】
【図２０】ＵＳＢ接続型ＩＤカードのＲＦＩＤの使用例を示した説明図である。
【符号の説明】
【００７６】
Ａ        ＩＤカード（窓孔タイプ）
Ｂ        ＩＤカード（溝部タイプ）
Ｃ        ＩＤカード（回転タイプ）
１        筐体
１０      表面
１２      上部
１３      一側面（左方側面）
１４      コーナー部
１５      嵌挿口
１６      嵌挿口
２        ＵＳＢスライド体
２０      ＵＳＢ接続コネクタ
２１      フラッシュメモリ
２２      コントロールＩＣ
２３      プリント回路基板
２５      ベース板部
２６      インターフェースピン
３        ＵＳＢ回転体
４        ＲＦＩＤ
５        窓孔
６        溝部
６０      開口
７        切欠部
８        コンピュータ
８０      ＵＳＢ接続ポート
９        サーバ
９０      データベース
９２      インターネット（ネットワーク）
【図１】
0003129622.tif 000003
【図２】
0003129622.tif 000004
【図３】
0003129622.tif 000005
【図４】
0003129622.tif 000006
【図５】
0003129622.tif 000007
【図６】
0003129622.tif 000008
【図７】
0003129622.tif 000009
【図８】
0003129622.tif 000010
【図９】
0003129622.tif 000011
【図１０】
0003129622.tif 000012
【図１１】
0003129622.tif 000013
【図１２】
0003129622.tif 000014
【図１３】
0003129622.tif 000015
【図１４】
0003129622.tif 000016
【図１５】
0003129622.tif 000017
【図１６】
0003129622.tif 000018
【図１７】
0003129622.tif 000019
【図１８】
0003129622.tif 000020
【図１９】
0003129622.tif 000021
【図２０】
0003129622.tif 000022